(57)【特許請求の範囲】
【請求項１】
冷蔵室用蒸発器(4)と冷凍室用蒸発器(5)の両蒸発器(4,5)に冷媒を流す第１モードと前記冷凍室用蒸発器(5)のみに冷媒を流す第２モードとを冷媒の流路を切り換えることにより行う弁手段(3)を備え、前記弁手段(3)は、圧縮機(1)のオフ時に前記流路を閉じる冷凍冷蔵庫において、
前記オフ時に前記流路を閉じて冷凍室のファン(9)を継続して回転させると共に、所定時間後にこの回転を停止させ、この回転停止後に、前記弁手段(3)を制御して前記第１モードの流路を開けることを特徴とする冷凍冷蔵庫。
【発明の詳細な説明】
【０００１】
【発明の属する技術分野】
本発明は、冷蔵室用蒸発器と冷凍室用蒸発器とを備える冷凍冷蔵庫に関する。
【０００２】
冷凍冷蔵庫は、冷凍室と冷蔵室との背面側に形成されたダクト内に蒸発器及びファンをそれぞれ備えており、冷凍サイクルの凝縮器から蒸発器に冷媒が供給され、ダクト内を通過する冷気を蒸発器で熱交換して冷やし、その冷気を前記ファンを介して吹き出し口から冷凍室及び冷蔵室にそれぞれ吹き出すようにしてある。
【０００３】
この冷凍サイクルは、例えば、図３に示すように冷媒ガスを圧縮する圧縮機1と、冷媒ガスを液化する凝縮器2を備え、凝縮器2の下流側には三方弁3が設けられる。この三方弁3を切り替えることにより、冷蔵室R側に設けられた蒸発器4(R蒸発器)及び冷凍室F側に設けられた蒸発器5(F蒸発器)の両蒸発器4,5、又は、F蒸発器5のみに冷媒を供給する。そして、F蒸発器5から圧縮機1に冷媒が戻る。冷媒は、冷凍サイクル中を循環する。蒸発器4,5で生成された冷気は、ファン8,9により庫内を循環する。
【０００４】
つまり、この冷凍冷蔵庫は、冷蔵室用蒸発器4と冷凍室用蒸発器5の両蒸発器に冷媒を流す第１モードと、前記冷凍室用蒸発器5のみに冷媒を流す第２モードとを備える。
【０００５】
そして、通常運転時には、適宜、三方弁3を切り替えて、冷媒を必要な蒸発器に流している。
【０００６】
冷凍冷蔵庫の冷却運転により、庫内が十分に冷却されると圧縮機1がオフとなり冷却運転をオフとする。
【０００７】
この冷却運転のオフ時、三方弁3は冷媒の流路を両方とも閉じる。これは、冷媒の流れを止め、冷凍室用蒸発器5内に冷媒を留め、この冷媒による熱交換(冷却作用)を維持させている。つまり、圧縮機1のオフ時には、冷媒流路を閉じて、冷媒を冷凍室用蒸発器5内に冷媒を留め、冷凍室用のファン9を１〜２分間回し続けて冷却動作を続けている。
【０００８】
これにより、冷蔵庫の省エネルギー化を図っている。
【０００９】
【発明が解決しようとする課題】
ところが、このような冷凍冷蔵庫では、冷媒流路を閉じるため、高圧側と低圧側の圧力も維持される。
【００１０】
このため、圧縮機1の起動トルクは、この高い差圧の時にも良好に動作するものとしなければならなかった。
【００１１】
従来では、インバータ駆動により圧縮機1を駆動して、高トルクを得ていた。また、商用電源の直接供給により駆動する場合は、高トルクの圧縮機2を採用しなければならなかった。しかし、この場合には圧縮機が高価になるのみならず、消費電力が増大して省エネに逆行してしまう。
【００１２】
つまり、圧縮機のオフ時に冷媒の流路を閉じる省エネ方式は、インバータ駆動方式の圧縮機のみでしか実用性がなかった。
【００１３】
本発明は、このような現状に鑑みなされたもので、どのような駆動方式の圧縮機であっても、省エネが行える冷凍冷蔵庫を提供することを目的とする。
【００１４】
【課題を解決するための手段】
本発明は、冷蔵室用蒸発器(4)と冷凍室用蒸発器(5)の両蒸発器(4,5)に冷媒を流す第１モードと前記冷凍室用蒸発器(5)のみに冷媒を流す第２モードとを冷媒の流路を切り換えることにより行う弁手段(3)を備え、前記弁手段(3)は、圧縮機(1)のオフ時に前記流路を閉じる冷凍冷蔵庫において、
前記オフ時に前記流路を閉じて冷凍室のファン(9)を継続して回転させると共に、所定時間後にこの回転を停止させ、この回転停止後に、前記弁手段(3)を制御して前記第１モードの流路を開けることを特徴とする。
【００１８】
【発明の実施の形態】
本発明に係る冷凍冷蔵庫の実施形態について説明する。ここでは、前述した従来例と同一部材は同じ符号を用いる。
【００１９】
図１は冷凍冷蔵庫の一例を示すもので、冷蔵室Rと冷凍室Fとを備える。冷蔵室Rの背面側にはダクト6が形成され、このダクト6内にR蒸発器4とRファン8とが配設される。冷凍室Fも同様に背面側にダクト7が形成されてF蒸発器5とFファン9とが配設されている。
【００２０】
冷蔵室Rでは、ダクト6内の冷気がR蒸発器4を通過する際に冷媒との間で熱交換により冷却され、その冷気がRファン8を介して冷蔵室Rに形成された複数の吹き出し口10から庫内に吹き出される。また、冷気の一部は、上部ダクト6aを通って先端部のグリル12から下向きに吹き出される。これにより、通常運転時は冷蔵室Rの温度が約3℃になるように運転されている。庫内に吹き出された冷気は下方の戻り口13からダクト6内に流入し、再びR蒸発器4で冷却された後に庫内に吹き出される。
【００２１】
冷凍室Fにおいてもほぼ同様に、ダクト7内の冷気がF蒸発器5を通過する際に冷媒との間で熱交換により冷却される。その冷気がFファン9を介して冷凍室Fに形成された複数の吹き出し口11から庫内に吹き出される。これにより、通常運転時は、冷凍室Fの温度が約−18℃になるように運転されている。庫内に吹き出された冷気は下方の戻り口14からダクト7内に流入し、再びF蒸発器5で冷却された後に冷凍室内に吹き出される。
【００２２】
本実施形態での冷凍サイクルは、従来と同様であり、図２のように圧縮機1に凝縮器2が接続され、この凝縮器2の下流側に三方弁3が設けられ、冷蔵室R側に設置されるR蒸発器4と三方弁3とがキャピラリーAで接続される。冷凍室F側に設置されるF蒸発器5と三方弁3とがキャピラリーBで接続される。R蒸発器4とF蒸発器5とが接続される。F蒸発器5と圧縮機1とが接続された構成になっている。
【００２３】
冷媒ガスは、圧縮機1で圧縮された後に凝縮器2で液化され、三方弁3を切り替えることにより両蒸発器4,5又はF蒸発器5のみに供給される。尚、16は凝縮器用ファンである。
【００２４】
これらの部品1,3,8,9,16は、制御回路17により制御される。尚、18は冷蔵室用の温度センサ、19は冷凍室室用の温度センサ、20は外気温センサである。
【００２５】
この冷凍冷蔵庫における制御回路17による制御について説明する。
【００２６】
通常冷却運転時は、従来と同様に第１、第２モードを切り替えて適切な冷却を行う。
【００２７】
第1モードでは、三方弁3のキャピラリーAに通じる側の弁を開き、キャピラリーBに通じる側の弁を閉じて凝縮器2からの液化冷媒をR蒸発器4とF蒸発器5に供給する。冷媒は、F蒸発器5を経て圧縮機1に戻される。
【００２８】
第2モードとは、三方弁3のキャピラリーAに通じる側の弁を閉じ、キャピラリーBに通じる側の弁を開けて凝縮器2からの液化冷媒をF蒸発器5のみに供給する。冷媒ガスは、圧縮機1に戻される。
【００２９】
圧縮機１の停止中に、冷凍室用温度センサ19及び冷蔵室用温度センサ18で室温を調べる。
【００３０】
例えば、冷凍室冷却運転開始温度が−15℃で、冷蔵室(R)の冷却運転開始温度が6℃とする。
【００３１】
ここで、冷凍室用温度センサ19で検知した冷凍室用温度が、−12℃であり、冷蔵室用温度センサ18で検知した冷蔵室温度が7℃であると、第1モードで冷却運転を行う。冷却運転中に、冷蔵室が充分に冷えれば(例えば、2℃)、第2モードに切換え、冷凍室が充分に冷える(例えば、−20℃)まで冷却運転を続けて、停止する。
【００３２】
また、圧縮機１の停止中に、冷凍室用温度センサ19で検知した冷凍室用温度が、−12℃であり、冷蔵室用温度センサ18で検知した冷蔵室温度が4℃であると、第2モードで冷却運転を行う。
【００３３】
このような、冷却運転により、庫内(冷凍室)が充分に冷えると圧縮器１をオフとする。この時、三方弁3を制御して両方の流路を閉状態とする。これにより、冷媒の流れを止める。
【００３４】
Fファン9の回転は、圧縮機1のオフ後も1分間継続して回転させ、冷媒を昇華させて、冷却動作を続ける。
【００３５】
そして、このFファン9の回転停止後に、三方弁3を制御して冷蔵室側を開ける。冷蔵室側を開けて、差圧を減少させる。又、この差圧の減衰は、実用的には数分間必要である。この実施形態では、三方弁3による開放は、Fファン9の回転停止直後に行っている。さらに、この実施形態の圧縮機1は、商用電源の直接供給により駆動されるタイプであり、インバータ駆動ではない。
【００３６】
【発明の効果】
本発明によれば、冷凍冷蔵庫において、生産コストの高騰を防ぐと共に省エネが行える冷凍冷蔵庫を提供することができる。
【図面の簡単な説明】
【図１】冷凍冷蔵庫の一例を示す概略断面図である。
【図２】本発明に係る冷凍サイクルを説明するためのブロックである。
【図３】従来例おける冷凍サイクルのプロック図である。
【符号の説明】
1…圧縮機、
2…凝縮器、
3…三方弁、
4…R蒸発器、
5…F蒸発器、
8…Rフアン、
9…Fファン、
16…凝縮器用ファン、
17…制御回路、
A、B…キャピラリー、
R…冷蔵室、
F…冷凍室。
【図１】
0003948924.tif 000002
【図２】
0003948924.tif 000003
【図３】
0003948924.tif 000004